(57)【要約】【課題】多様な長さの筆記具を取り出しやすい状態で収納できる収納具を提供する。【解決手段】筆記具の収納具１は、開口部を有した枠体１０と、該開口部に弾力のある材質の線材２０が１ｍｍ〜８ｍｍの範囲内の間隔で縦横に配置された第一メッシュ面と、該メッシュ面と１０ｍｍ〜４０ｍｍの範囲内の間隔をあけて設けられた第一メッシュ面と同様の構成の第二メッシュ面を備える。筆記具を収納する際は第一メッシュ面と第二メッシュ面の両方を貫通するように差し込むことで行う。線材２０の間隔Ｐ１は、一般的な筆記具の太さより狭い１ｍｍ〜８ｍｍに設定されているので筆記具は挟み込まれて保持される。さらにメッシュ面が１０ｍｍ〜４０ｍｍの間隔をあけて２層あることで、差し込んだ角度のまま差し込んだ位置でそのまま保持される。【選択図】図１
0003206771.tif 000002
【実用新案登録請求の範囲】
【請求項１】
開口部を有した枠体と、該開口部に弾力のある材質の線材が１ｍｍ〜８ｍｍの範囲内の間隔で縦横に配置され構成された第一メッシュ面と、該メッシュ面と１０ｍｍ〜４０ｍｍの範囲内の間隔をあけて設けられた第一メッシュ面と同様の構成の第二メッシュ面とを備えた筆記具の収納具であって、前記二層のメッシュ面および前記線材によって筆記具の二地点を挟み保持することを特徴とする筆記具の収納具。
【請求項２】
前記線材の材質が、伸縮性と滑り止め効果のある天然ゴムや合成ゴム、エラストマーで形成されていることを特徴とする態様１に記載の筆記具の収納具。
【考案の詳細な説明】
【技術分野】
【０００１】
本考案は筆記具の収納具に関するものであり、より詳しくは多様な長さの筆記具を取り出しやすい状態で収納できる収納具に関するものである。
【背景技術】
【０００２】
従来より筆記具の収納具としてコップ形状のいわゆるペン立てが広く用いられている。ペン立ては、筆記具を取り出しやすい状態で省スペースに収納しておくことができ、机から転がり落ちたりする事も防止できるなどの利点がある。
【０００３】
しかしながら、筆記具にはボールペンなど長さの変化しないものの他に、使用して消耗するにしたがって長さが徐々に短くなる鉛筆類があり、これらは短くなった状態でペン立てへ収納しようとすると、容器の底に入り込んでしまい取り出しづらくなってしまう。この問題を起こさないためには、短い鉛筆をペン立てへ収納せず出しておくか、別途トレー等を用意して収納する事となり、収納スペースの面でも整理する目的においても不都合が生じていた。
【０００４】
多様な長さの筆記具を取り出しやすくする狙いを持った収納具として、筆記具を取り出す際に収納容器の深さを調節したり、収納容器の深さを数段階に複数分けて設けてあるもの（特許文献１）が公知である。しかし筆記具を取り出す際に都度深さを調節する等の操作が必要なものはその操作自体が煩わしく不便であるし、予め収納容器の深さが数段階に複数分けて設けてあるものは、その収納容器の深さや数が日々変化する使用者の収納したい筆記具の長さや本数と常に合致するとは限らないので、ある部分には収納できる空間がまだ空いているにもかかわらず、適した長さでない為に収納できないなどの不都合が生じてしまう事となり、その解決策としては不十分であった。
【０００５】
以上のような方法によらない、多様な長さの筆記具を取り出しやすい状態で収納できる収納具として、筆記具の側面を挟んで収納容器内側底面に筆記具を触れさせずに空中に保持するような方法を採るものが特許文献２に提示されている。
【０００６】
特許文献２では、樹脂やゴム等の軽量で弾力性のある素材同士の隙間に筆記具を差し込む事によって両側から筆記具を挟み保持している。この方法であれば短くなった筆記具でも収納容器の底に入り込ませずに、筆記具後端を収納具の開口部より外部に露出させた状態で収納しておくことができるので、理屈の上では取り出しやすい状態で収納することは可能のようである。しかし実際には、鉛筆等は鉛筆削り等で鋭く尖らせた状態で使用するので、前述の弾力素材同士の隙間にうまく差し込めずに弾力素材自体へ刺してしまい破損することが考えられ、問題の解決策としては非現実的である。
【先行技術文献】
【特許文献】
【０００７】
【特許文献１】特開２００１−１５０８６９
【特許文献２】米国特許３５０２２２４号
【考案の概要】
【考案が解決しようとする課題】
【０００８】
本考案は、このような従来の実情に鑑みて提案されたものであり、従来の技術が有する欠点・課題を排除・克服した筆記具の収納具を提供することを目的とする。すなわち、多様な長さの筆記具を取り出しやすい状態で収納できる収納具を提供することを目的とする。
【課題を解決するための手段】
【０００９】
本考案者は鋭意検討した末、筆記具表面の二地点を弾力のある材質の線材で挟み保持する事と、その保持機構として弾力のある線材が所定間隔で縦横に配置されたメッシュ面二層を用いることを見出し、本考案を完成するに至った。
【００１０】
すなわち、本考案は、少なくとも次の構成・特徴を採用するものである。
（態様１）
開口部を有した枠体と、該開口部に弾力のある材質の線材が１ｍｍ〜８ｍｍの範囲内の間隔で縦横に配置され構成される第一メッシュ面と、該メッシュ面と１０ｍｍ〜４０ｍｍの範囲内の間隔をあけて設けられた第一メッシュ面と同様の構成の第二メッシュ面とを備えた筆記具の収納具であって、前記二層のメッシュ面および前記線材によって筆記具の二地点を挟み保持することを特徴とする筆記具の収納具。
（態様２）
前記線材の材質が、伸縮性と滑り止め効果のある天然ゴムや合成ゴム、エラストマーで形成されていることを特徴とする態様１に記載の筆記具の収納具。
【考案の効果】
【００１１】
本考案の筆記具の収納具は以上のような構成・特徴を備えており、収納する筆記具は弾力のある材質の線材によって差し込まれた角度と位置を維持したまま固定されるので、特別な操作をせずに多様な長さの筆記具を取り出しやすい状態で収納することができる。
【００１２】
さらに線材の材質として、伸縮性と滑り止め効果の低い金属線材やその他の材質ではなく、それらと比較して大きな伸縮性と高い滑り止め効果を備えた天然ゴムや合成ゴム、エラストマーが用いられることで、筆記具を傷付けずに繰り返し確実に保持することができる。
【００１３】
また、筆記具を挟む機構として細い線材（直径０．３ｍｍ〜２．０ｍｍ）を用いることで、先端の鋭く尖った筆記具等が線材自体に刺さって収納具を破損することなく使用できる。
【図面の簡単な説明】
【００１４】
【図１】本考案の実施例に係る筆記具の収納具を示した斜視図である。
【図２】別の角度から観た筆記具の収納具の斜視図である。
【図３】枠体のみを示した斜視図である。
【図４】筆記具の収納具を示した平面図である。
【図５】筆記具の収納具を示した断面図である。
【図６】筆記具の収納具の使用方法を説明した図である。
【考案を実施するための形態】
【００１５】
以下、本考案を図面に示す実施の形態に基づき説明するが、本考案は、下記の具体的な実施形態に何ら限定されるものではない。
【実施例】
【００１６】
図１は本考案の実施例に係る筆記具の収納具１を示した斜視図であり、図２は別の角度から観た筆記具の収納具１の斜視図である。図３は枠体１０のみの斜視図である。図４は筆記具の収納具１の平面図であり、図５は図４のＡ‐Ａ´線に沿って破断した断面図である。図６は筆記具の収納具の使用方法を説明した図である。
【００１７】
枠体１０は、開口部１１と、開口部１１を一定の高さに保持しつつ机等に安定して設置するための脚部１２、開口部１１に所定間隔毎に縦横に配置された複数の線材２０と、を有する。さらに、線材２０は上下に所定間隔を空けた二層になるよう張り渡してある。
【００１８】
二層のメッシュ面は上部の第一メッシュ面２１と下部の第二メッシュ面２２とで構成されており、筆記具は第一メッシュ面２１、第二メッシュ面２２の順に貫通して保持される。第二メッシュ面２２を貫通した筆記具は、該メッシュ面下部に筆記具の一端が出ている状態で保持されるので、その空間を確保する意味で脚部１２の高さＨ（第二メッシュ面２２の底部から筆記具の収納具１が設置される机などの平面までの距離）が設定されるが、鉛筆削り等で削られた鉛筆であれば先端の円錐部は１５ｍｍ〜２５ｍｍ程度なので２５ｍｍ以上の高さが確保されることが好ましい。
【００１９】
なお、枠体１０の材質として、木材、ガラス、金属、ゴム、プラスチックなどの樹脂又はこれらの組み合わせが挙げられるが、これらに限定されない。
【００２０】
線材２０の間隔Ｐ１は、一般的な筆記具の胴軸の直径が１０ｍｍ程度であることから、それよりも狭い１ｍｍ〜８ｍｍ間隔にすることが好ましい。また、第一メッシュ面２１と第二メッシュ面２２の間隔Ｐ２は、消耗して短くなった鉛筆の使用できる下限の長さを４５mm程度と想定すると１０ｍｍ〜４０ｍｍの範囲内で実施されることが好ましい。
【００２１】
線材２０の材質としては、伸縮性と滑り止め効果のある天然ゴムや合成ゴム、エラストマーで形成されている事が好ましい。日々繰り返し使用する筆記具の収納具においては、軽い力で各メッシュ面への差し込み、抜き取りを行うことができ、かつ確実な保持がなされなければならないが、筆記具の胴軸の直径に対して線材２０の間隔Ｐ１の狭さによる挟持力だけで筆記具の保持をしようとすると、狭い場合きつくなり過ぎ、広い場合緩くなり過ぎるというように最適な範囲が狭い。そこで線材に材質による伸縮性と滑り止め効果を加えることで最適な範囲が広がり、より保持を確実なものとする事ができる。なお、線材の太さは直径０．３ｍｍ〜２．０ｍｍの範囲で実施される事が好ましい。
【００２２】
第一メッシュ面２１と第二メッシュ面２２は、本実施例では一本の線材２０を枠体１０に張り渡す事によって形成している。張り方としては、枠体に設けられた穴１３に縛り目をつけた線材２０を通し、抜けないようにしたうえで溝１４を通しながら巻きつけるように掛けていき、全て掛け終えた後の末端を再度穴１３に通して縛り留めるなどして行う。しかしながら、各メッシュ面の構成としては直交する縦糸と横糸がそれぞれ独立した状態で二層形成されるのであればどのような方法でも良く、例えば輪ゴムのようなリング状の線材を複数使用してメッシュ面を形成しても良い。
【００２３】
本考案の筆記具の収納具を実施例に基づいて説明したが、本考案は、上記実施例に何ら限定されるものではない。例えば、筆記具の他、絵筆や化粧筆、カッターや彫刻刀等に使用しても良い。また、枠体の縦横のサイズや脚部１２の高さＨは、使用する筆記具の種類や量に応じて適宜変更しても良いし、机等の設置する平面に対する開口部１１の角度についても適宜変更しても良い事に留意されたい。
【産業上の利用可能性】
【００２４】
本考案の筆記具の収納具は、簡素な構造でありながら、ボールペン等の長さの変化しない筆記具はもちろんのこと、使用して消耗するにしたがって長さが徐々に短くなる鉛筆等の収納や活用の助けになる。このように、本考案の筆記具の収納具は、産業上の利用価値及び利用可能性が非常に高い。
【符号の説明】
【００２５】
１  筆記具の収納具
１０  枠体
１１  枠体の開口部
１２  脚部
１３  線材固定穴
２０  線材
２１  第一メッシュ面
２２  第二メッシュ面
Ｐ１  線材間の間隔
Ｐ２  メッシュ面の間隔
Ｈ  脚部の高さ
【図１】
0003206771.tif 000003
【図２】
0003206771.tif 000004
【図３】
0003206771.tif 000005
【図４】
0003206771.tif 000006
【図５】
0003206771.tif 000007
【図６】
0003206771.tif 000008
【手続補正書】
【提出日】平成28年8月8日(2016.8.8)
【手続補正１】
【補正対象書類名】実用新案登録請求の範囲
【補正対象項目名】請求項２
【補正方法】変更
【補正の内容】
【請求項２】
前記線材の材質が、伸縮性と滑り止め効果のある天然ゴムや合成ゴム、エラストマーで形成されていることを特徴とする請求項１に記載の筆記具の収納具。